Podtech/llm-jp-corpus-v4-ja_patent huggingface dataset:
(57)【要約】      （修正有）【課題】耐久性に優れたシリコン素材をカバーとし、簡単に取りつけ、取り外しができ、より安全でスムーズな走行を可能にする。【解決手段】パイプの形状をした、シリコン素材の長さ方向の横の一箇所を直線に切り離し、挟み込む形に製作しそれをカバーとして用い、車のスタビライザーにも移設可能な状態を特徴とする。内側に特殊鉱石のラジウム・鉱石・酸化チタン・プラチナを散布して、物質を活性化させる効果を得る。【選択図】図１
0003131162.tif 000002
【実用新案登録請求の範囲】
【請求項１】
耐久性に優れたシリコン素材をカバーとし用いた事で、どの車のスタビライザーにも移設可能な状態を特徴としたスタビクリップ
【請求項２】
前記記載した耐久性に優れたシリコン素材をカバーとし用いた事で、どの車のスタビライザーにも移設可能な状態を特徴としたスタビクリップには、内側に物質を活性化させる特殊鉱石のラジウム・鉱石・酸化チタン・プラチナを散布して、物質を活性化させる効果を特徴とする、請求項１記載のどの車のスタビライザーにも移設可能な状態を特徴としたスタビクリップ
【請求項３】
前記記載した耐久性に優れたシリコン素材をカバーとし用いた事で、どの車のスタビライザーにも移設可能な状態を特徴としたスタビクリップには、内側に物質を活性化させる特殊鉱石のラジウム・鉱石・酸化チタン・プラチナを散布し、さらに均一電着性にも優れている銅版を帯状にして巻付け、全てのものが合わさる事で物質がより活性化され、その効力を倍増加させる事を特徴とする請求項１記載の、どの車のスタビライザーにも移設可能な状態を特徴としたスタビクリップ
【考案の詳細な説明】
【技術分野】
【０００１】
この発明は、自動車製造時に純正に取り付けられている車体から車軸に取り付けられた１本の棒状の名称スタビライザーに移設可能な状態で形状化した、簡単に取りつけ、取り外しが可能なスタビクリップに関する。
【背景技術】
【０００２】
従来の自動車製造時に純正に取り付けられている車体から車軸に取り付けられた１本の棒状の名称スタビライザーの形状は、図３に示すように、車体から車軸に取り付けられた１本の棒状の構造になっているものである。
【考案の開示】
【考案が解決しようとする課題】
【０００３】
しかしながら、通常の構造だけでは、走行時に体感する、車体から感じられる、ふらついた感覚が個人差であり、様々な条件下に置いての車の運転に不安定感を感じられる事をどうにか軽減出来ないかと考えていた。そこで、この発明は、車の走行時に体感する、車体から感じられる、ふらついた感覚など、様々な条件下に置いての車の運転により体感する、不安定感を軽減する事により、ハンドルの切り替えしが以前より機敏になり、より安全でスムーズな走行が可能な事を提供することを課題とする。
【課題を解決するための手段】
【０００４】
以上の課題を解決する為に、第一発明は、走行時に体感する、車体から感じられる、ふらついた感覚や、様々な条件下に置いての車の運転により体感する、不安定感を軽減する為に、車体から車軸に取り付けられた１本の棒状の名称スタビライザーに取り付け、ハンドルの切り替えしが以前より機敏になり、より安全でスムーズな走行が可能な事を特徴としたスタビクリップ。また、第二発明は、内側に特殊鉱石のラジウム・鉱石・酸化チタン・プラチナを散布して、物質を活性化させる効果を特徴とし、さらに均一電着性にも優れている銅版を帯状にして巻付け、全てのものが合わさる事で物質がより活性化され、その効力を倍増加させる事を特徴とする。耐久性に優れたシリコン素材をカバーとし用いた事で、移設可能な状態を特徴としたスタビクリップである。
【考案の効果】
【０００５】
第一発明、または第二発明によれば、自動車製造時に純正に取り付けられている車体から車軸に取り付けられた１本の棒状の名称スタビライザーに取り付ける事によって、走行時に体感する、車体から感じられる、ふらついた感覚や、様々な条件下に置いての車の運転の不安定感を軽減しながら、ハンドルの切り替えしが装着以前より機敏になり、より安全でスムーズな走行が可能になり、また、耐久性に優れたシリコン素材をカバーとし用いる事により、どの車のスタビライザーにも移設可能な状態を特徴として製作した。
【考案を実施するための最良の形態】
【０００６】
この発明の一実施形態を、図２に示す。このスタビクリップを取り付ける箇所１は、車体から車軸に取り付けられた１本の棒状の名称スタビライザー１であり、スタビクリップ２を取り付ける為に、耐久性に優れたシリコン素材をカバーとし用いて製品化した事で、簡単に取りつけ、取り外しを可能にした。
【実施例】
【０００７】
この実施形態によれば、シリコン素材をカバーとし用いて製品化した事で、耐久性に優れ簡単に取りつけ、取り外しを可能にし、どの車のスタビライザーにも移設可能した事
【０００８】
この発明のスタビクリップ本体を、図１に示す。このスタビクリップ本体内側に物質を活性化させる特殊鉱石のラジウム・鉱石・酸化チタン・プラチナを散布して、物質を活性化させる効果を特徴とし、銅版を帯状にして巻き付ける事により、その効力を倍増加させた。
【図面の簡単な説明】
【０００９】
【図１】スタビクリップ本体の斜視図である
【図２】この発明の一実施形態を示す斜視図である。
【図３】従来の技術を示す斜視図である。
【符号の説明】
【００１０】
１  車体から車軸に取り付けられた１本の棒状の名称スタビライザーである。
２  スタビクリップ本体。
３  帯状の銅板。
【図１】
0003131162.tif 000003
【図２】
0003131162.tif 000004
【図３】
0003131162.tif 000005
【手続補正書】
【提出日】平成19年2月8日(2007.2.8)
【手続補正１】
【補正対象書類名】実用新案登録請求の範囲
【補正対象項目名】全文
【補正方法】変更
【補正の内容】
【実用新案登録請求の範囲】
【請求項１】
パイプの形状をした、シリコン素材の長さ方向の横の一箇所を直線に切り離し挟み込む形に製作しそれをカバーとして用い、車のスタビライザーに移設可能な状態を特徴としたスタビクリップ
【請求項２】
前記記載した、パイプの形状をした、シリコン素材の長さ方向の横の一箇所を直線に切り離し挟み込む形に製作しそれをカバーとして用い、車のスタビライザーにも移設可能な状態を特徴としたスタビクリップには、内側に物質を活性化させる特殊鉱石のラジウム・鉱石・酸化チタン・プラチナを散布して、物質を活性化させる効果を特徴とする、請求項１記載の車のスタビライザーに移設可能な状態を特徴としたスタビクリップ
【請求項３】
前記記載したパイプの形状をした、シリコン素材の長さ方向の横の一箇所を直線に切り離し挟み込む形に製作しそれをカバーとして用い、車のスタビライザーにも移設可能な状態を特徴としたスタビクリップには、内側に物質を活性化させる特殊鉱石のラジウム・鉱石・酸化チタン・プラチナを散布し、さらに均一電着性にも優れている銅版を帯状にして巻付け、全てのものが合わさる事で物質がより活性化され、その効力を倍増加させる事を特徴とする請求項１記載の、車のスタビライザーに移設可能な状態を特徴としたスタビクリップ
(57)【要約】      （修正有）【課題】地震の揺れの大きさと強度を簡単に知ることができる簡易型卓上地震計を提供する。【解決手段】ベースプレートの上面にＴ字状に横揺れ用、ベースプレートの頂点に当たる部分にポール型の縦揺れ用の簡易型振動測定スティックを配置する。永久磁石のＮ極とＮ極、Ｓ極とＳ極の反発のエネルギーを利用した振動スティック内に組み込んだ永久磁石の振動ブロックが振動し常に最大値がカーソルの位置で保持される構造をもつ。ベースプレートの頂点に配置した縦揺れ測定用の簡易型振動測定スティックとＴ字型に配置した横揺れ測定用の簡易型振動測定スティックを組み合わせ卓上に置ける構成にする。【選択図】図１
0003131150.tif 000002
【実用新案登録請求の範囲】
【請求項１】
地震が起きた時の横揺れ、縦ゆれを自分の家の中で測定出来る事を特徴とする置物の形状をした簡易型卓上地震計
【請求項２】
永久磁石のＮ極とＮ極、Ｓ極とＳ極の反発のエネルギーを利用し、地震の時の振動の大きさが指針の動きで観測でき常に最大値がカーソルの位置で保持される構造を持つ請求項１の形状を特徴とした簡易型卓上地震計
【請求項３】
各家の立地や建物の構造、状態によって異なる震度を簡易的に測定出来る事を特徴とする請求項１、請求項２を組合せた簡易型卓上地震計の考案
【考案の詳細な説明】
【技術分野】
【０００１】新製品開発技術
【背景技術】
【０００２】生産技術＋応用物理科学技術＋機械設計技術
【考案の開示】
【考案が解決しようとする課題】
【０００３】地震が起きた時の早期対応の目安が現状では本人、家族の体感に頼るしかない現状で少しでも確実な情報が出来るだけ早くほしいと言う課題
各家によって異なる同じ地震による揺れの大きさ、強さを知りたいと言う課題
【課題を解決するための手段】
【０００４】簡易型で卓上タイプにする事により各家に備える事が可能
その時の揺れの大きさをカーソルの移動位置の保持で後で比較、確認が可能
【図面の簡単な説明】
【０００５】
【図１】（平面図）  永久磁石のＮ極とＮ極、Ｓ極とＳ極の配置、カーソルの取付位置、揺れの大きさを示す目盛の表示の状態と構造を示す
【図２】（正面図）  平面図で表せていない縦揺れ観測用と横揺れ観測用のカーソル取付状態の違いを全体の形状と共に示す
【図１】
0003131150.tif 000003
【図２】
0003131150.tif 000004
【手続補正書】
【提出日】平成18年10月6日(2006.10.6)
【手続補正１】
【補正対象書類名】実用新案登録請求の範囲
【補正対象項目名】全文
【補正方法】変更
【補正の内容】
【実用新案登録請求の範囲】
【請求項１】
ベースプレートの上にＴ字状に横揺れ用、頂点に当たる部分にポール型の縦揺れ用の簡易型振動測定スティックを配置するという形状をもつ簡易型卓上地震計
【請求項２】
永久磁石のＮ極とＮ極、Ｓ極とＳ極の反発のエネルギーを利用した振動スティック内に組み込んだ永久磁石の振動ブロックが振動し常に最大値がカーソルの位置で保持される構造をもつ請求項１の簡易型卓上地震計
【請求項３】
各家の立地や建物の構造、状態によって異なる震度を簡易的に測定出来る事を特徴とする請求項１または２記載の簡易型卓上地震計
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
ベースプレートの上面にＴ字状に横揺れ用、ベースプレートの頂点に当たる部分にポール型の縦揺れ用の簡易型振動測定スティックを配置するという形状をもつ簡易型卓上地震計
【請求項２】
永久磁石のＮ極とＮ極、Ｓ極とＳ極の反発のエネルギーを利用した振動スティック内に組み込んだ永久磁石の振動ブロックが振動し常に最大値がカーソルの位置で保持される構造をもつ請求項１の簡易型卓上地震計
【請求項３】
ベースプレートの頂点に配置した縦揺れ測定用の簡易型振動測定スティックとＴ字型に配置した横揺れ測定用の簡易型振動測定スティックを組み合わせ卓上に置ける形状にする事を特徴とする請求項１または２記載の簡易型卓上地震計
(57)【要約】      （修正有）【課題】大正、昭和、平成と異常とも言える時代の流れの中で時間感覚が麻痺し年齢に対する意識までもが解らなくなって来ている現在の意識の正常化。何でもかんでもコンピュータの現在、算数に対する意識の正常化。【解決手段】大正、昭和、平成の国暦と西暦の併記による年齢計算データベースの作成。年齢計算データベースをカードサイズにするロールタイプ化。ロールタイプ化したデータのリール機能による処理。カード化したデータベースのカーソルによる処理。【選択図】図１
0003131148.tif 000002
【実用新案登録請求の範囲】
【請求項１】
カードの形状をしたデータベース入替可能タイプのカード型簡単手動メカ計算器
【請求項２】
請求項１にロールタイプのデータベースを使用可能なリール機能を備えた構造にしたカード型簡単手動メカ計算器
【請求項３】
請求項１、請求項２を組合せた手動カーソル採用のメカ式計算器に、大正、昭和、平成のロールタイプの誕生年による年齢計算用のデータベースを使用したカード型簡単手動メカ計算器
【請求項４】
請求項１、請求項２を組合せた手動カーソル採用メカ式計算器に、簡単な足し算、掛け算用のカードタイプのデータベースを備えたカード型簡単手動メカ計算器
【考案の詳細な説明】
【技術分野】
【０００１】新製品開発技術
【背景技術】
【０００２】生産技術＋機械設計技術＋システム計算技術
【考案の開示】
【考案が解決しようとする課題】
【０００３】大正、昭和、平成と異常とも言える時代の流れの中で時間感覚が麻痺し年齢に対する意識までもが解らなくなって来ている現在の意識の正常化
何でもかんでもコンピュータの現在、算数に対する意識の正常化
【課題を解決するための手段】
【０００４】大正、昭和、平成の国暦と西暦の併記による年齢計算データベースの作成
年齢計算データベースをカードサイズにするロールタイプ化
ロールタイプ化したデータのリール機能による処理
カード化したデータベースのカーソルによる処理
【図面の簡単な説明】
【０００５】
【図１】カードとシート化されたデータベースとカーソルとリール機能の役割を持つ  〔平面図〕  手動巻取り、巻き戻し用のつまみを示す
【図２】リール機能と入替え可能可能なカード化された  〔側面図〕  データベースの組込み構造を示す
【図１】
0003131148.tif 000003
【図２】
0003131148.tif 000004
(57)【要約】      （修正有）【課題】開いた本が自然に閉じてしまわないように、クリップで本をはさみ、そのクリップにくっつけたおもりで、はさんだ本の片側が浮かないように押さえる。【解決手段】クリップにおもりを取り付け、そのおもり付きクリップで、本の開いたページをはさみ固定して、本を開いた状態に保つブックオープナー。【選択図】図１
0003131147.tif 000002
【実用新案登録請求の範囲】
【請求項１】
本の開いたページが勝手に閉じないように、クリップに、おもりをくっつけたブックオープナー。
【考案の詳細な説明】
【技術分野】
【０００１】  本考案は、開いた本が自然に閉じてしまわないように、クリップとおもりをくっつけた本の片側又は両側を固定するための文房具に関する。
【背景技術】
【０００２】  従来、開いた本が閉じないようにするためには、別の本や、何かおもりになるもので本の片側又は両側を押さえるか、手で直接押さえるかで、特にこの目的のための文房具は市販されていない。
【考案の開示】
【考案が解決しようとする課題】
【０００３】  解決しようとする問題点は、従来の方法における、机の上がかさばったり、確実性がなかったり、片手がふさがったりする点である。
【課題を解決するための手段】
【０００４】  本考案は、開いた本が自然に閉じてしまわないように、クリップで本をはさみ、そのクリップにくっつけたおもりで、はさんだ本の片側が浮かないように押さえることにより、コンパクトに、確実に、両手がフリーの状態でという上記の課題を解決するものである。
【考案の効果】
【０００５】  本考案のブックオープナーは、非常に簡単な構造で、確実に、開いた本が自然に閉じるのを防いでくれ、両手が完全にフリーになるので、学習効率も上がるし、コンパクトで場所をとらず、持ち運びにも便利で、実用性が非常に高い。
【考案を実施するための最良の形態】
【０００６】  本の片側１個止めよりも、本の両側２個止めのほうが確実性は高い。
【実施例】
【０００７】  本を開いたときは、薄いページ側のほうが閉じようとする力が大きいので、ブックオープナーを片側だけに使うときは、薄いページ側に使う。
【図面の簡単な説明】
【０００８】
【図１】  本考案の側面図
【図２】  本考案の使用状態を示す斜視図
【図３】  本考案の他の使用状態（２個両側使用）を示す側面図
【符号の説明】
【０００９】  １  クリップ
２  おもり
３  バネ
４  支点軸
５  つまみ部
６  はさみ部
【図１】
0003131147.tif 000003
【図２】
0003131147.tif 000004
【図３】
0003131147.tif 000005
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
クリップにおもりを取り付け、そのおもり付きクリップ（ブックオープナー）で、本の開いたページをはさみ、固定して、本を開いた状態に保つ。
【手続補正書】
【提出日】平成19年1月11日(2007.1.11)
【手続補正１】
【補正対象書類名】実用新案登録請求の範囲
【補正対象項目名】全文
【補正方法】変更
【補正の内容】
【実用新案登録請求の範囲】
【請求項１】
クリップにおもりを取り付け、そのおもり付きクリップで、本の開いたページをはさみ、固定して、本を開いた状態に保つブックオープナー。
(57)【要約】      （修正有）【課題】環境によくローコストな電気車輛システムを提供する。【解決手段】蓄電体６と駆動モータ５と集電ロッド２と電力スイッチを搭載の電気車輛および車道と歩道の境界に建てるポールに停車区間と加速区間との合計の長さ分張られた給電線１とからなり、給電線１より集電ロッド２・電力スイッチを経由し、停車時には蓄電体６へ充電、加速時には駆動モータ５および（または）蓄電体６への給電を行う間歇給電型電気車輛システム。【選択図】図１
0003131744.tif 000002
【実用新案登録請求の範囲】
【請求項１】
蓄電体６と駆動モータ５と集電ロッド２と電力スイッチを搭載の電気車輛および車道と歩道の境界に建てるポールに停車区間＋加速区間の長さ分張られた給電線１とからなり、給電線１より集電ロッド２・電力スイッチを経由し、停車時には蓄電体６への充電、加速時には駆動モータ５および（または）蓄電体６への給電をおこなうことを特徴とした間歇給電型電気車輛システム
【考案の詳細な説明】
【考案の詳細な説明】
【産業上の利用分野】
新公共交通システム、短距離物流車システム
【背景技術】環境およびコストの観点から、架線レス路面電車や架線レス  トロリーバスが提案されている。その例の一つには、蓄電器（又は蓄電池）で駆動する電気車輛が車庫を満充電で出発し、途中の停留所で停車中に充電補充しようというシステムある。給電は車輛の屋根より高く車道に設け、停留所前のみに張られた架線よりおこなう。しかし上記システムでは充電補充量が少なく、車輛が車庫に戻ったときに再充電に時間を要するため、連続して運行する場合には２セット目（２倍）の車輛が必要になり、高価なシステムになる。
【考案が解決しようとする課題】
まず、リアルタイム運転中、従来は停車区間のみの充電補充であったが、加速区間、減速区間  においても蓄電器（池）に補充充電をおこなう。また停留所からの車輛の加速エネルギーを蓄電器（池）から使わず、給電線（短い架線）より取得する。このことにより、搭載蓄電器（池）容量を大幅に削減する。また、障害性をより低くするため、給電は車輛上空からでなく横面よりおこなう。
【課題を解決するための手段】
【０００１】［図−１］、［図−２］に従って構成と動作を説明する。［図−１］は電気車輛が停留所に１台は近づき、他の１台は遠ざかる状態の概略平面図で、１ａ，１ｂは１または２本の給電線、２は集電ロッドまたはパンタグラフ、３は駆動機構、４は給電箱および標識、５は駆動モータ、６は蓄電体（蓄電器または蓄電池）である。［図−２］は後方からみた立面概略図である。
【０００２】［図−１］により動作を説明すると、車輛７は集電ロッド２を折畳んだ状態で減速しながら停留所に接近する。停留所に停車すると駆動機構３は集電ロッド２を移動させ、［図−２］に示したように歩道と車道の境界に立つポールに張られた給電線１ａに固有の接触圧で接触させる。すると、給電箱４は別途給電許可を判別後、給電線１ａ、集電ロッド２を経由して蓄電体６に充電電力を送る。その後停車時間が終了し加速を開始するが、本考案では加速中も充電電力を送り、さらに加速そのものも給電線１ｂを経由して車輪駆動用モータ５に電力を送る。
【０００３】本考案は以上のように、停車中の充電の他に給電線１ｂにより加速中も充電および（または）加速の電力を得るようにしたことと、給電線１を車道上空ではなく歩道と車道の境界上空に設置し、車輛からの集電ロッド２の接触圧を駆動機構３により適切に制御することにある。（図−１の右の車輛８は加速しながら架線から遠ざかるので接触圧は下がる）また給電線１は車道上の障害としないため、歩道と車道の境界に設置したが車道上に設置してもよい。また駆動機構３はバネ等で広げた集電ロッド２をワイヤ等の張力で調整するものでもよい。
【０００４】以上の加速は約１０秒前後（加速区間距離は２０−３０ｍ前後）で終了し給電線１も途切れる。そのあと車輛は走行区間に入り、車輛８は車内搭載の蓄電体６の電力を使い走行する。さて、［図−２］の例では２本の給電線を示しているが、１本にして電車のように構成しても良いし、前記給電線１をより高い位置に設置し、集電ロッド２を斜め上にして利用しても良い。
【０００５】［図−３］は電気車輛７，８の車内の構成をしめしている。９、１０、１１は電力スイッチ、１２、１３は電流制御回路である。この図で動作を説明すると、まず車輛が停留所に近づく時は、スイッチ１１のみをオンにしいわゆる回生電力を電流制御回路１２を経由して蓄電体６に補充充電する。つぎに停車している時間にはスイッチ９のみオンにして給電線１より補充充電する。つぎの加速時間帯にはスイッチ９および（または）スイッチ１０のみをオンにし、車輪駆動用モータ５および（または）蓄電体６に電力を送る。
【０００６】［図−４］の１４は上記の動作に従い蓄電体６のエネルギーが変化する様子をしめしている。この図の縦軸は１停留所走行エネルギー単位で示してあり、横軸は時間である。例示の蓄電量１６の具体的意味は、車庫を４停留所走行分のエネルギーを蓄電体６蓄電後出発し、走行に従い蓄電量１６は減少する。１番目の停留所に近づいた１−▲１▼の時点から減速による回生電力により蓄電量１６は増加し、１−▲２▼の時点から１−▲３▼の時点の停車時には蓄電量１６はさらに増加する。
【０００７】さらに、１−▲３▼から１−▲４▼の加速時間では従来は蓄電量１６は減少に転じるが、本システムでは蓄電体６のエネルギーを使用しないで車輛をかそくするどころか、蓄電体６への充電もおこなうので、蓄電量１６は増加を続ける。１−▲４▼からは走行区間に入り、蓄電量１６は減少に転じ、これは２番目の停留所手前の減速点２−▲１▼まで続き、２−▲１▼点以降は上記を繰り返す。
【０００８】さて、具体的数値例を仮定して検証する。供給電圧＝８００Ｖ、車輛走行時の電流＝１００Ａ、車輛加速時の電流＝２００Ａ、蓄電体への充電最大電流＝１００Ａとする。減速時には８００Ｖ×１００Ａ×１０秒、停車時には８００Ｖ×１００Ａ×２０秒、加速時には８００Ｖ×１００Ａ×１０秒のエネルギーが蓄電体６に充電される。さらに加速後の車輛速度を５０Ｋｍ／時と仮定すると５０Ｋｍ／３６００×４０秒＝５５０ｍとなり、減速と加速の区間距離を加えると約６００ｍなる。逆にいうと停留所間の平均距離が６００ｍ以下だと、［図−４］の蓄電量１６が示すように幾駅でもエンドレスに走行可能になる。
【考案の効果】
幾駅でもリアルタイムで運行でき、車道上空に架線などの障害がなく、しかも車輛に搭載の蓄電体もきわめて小さく、ローコストな電気車輛システムが実現可能とおもわれる。
【図面の簡単な説明】
【図１】：概略  平面図
【図２】：概略  立面図（後方よりの）
【図３】：車内電力回路概要図
【図４】：蓄電エネルギー遷移図
【記号の説明】
１：給電線  （１ａ：停車区間；１ｂ：加速区間）        ２：集電ロッド        ３：駆動機構        ４：給電箱        ５：駆動モータ        ６：蓄電体    ７，８：電気車輛  ９〜１１：電力スイッチ１２、１３：電流制御回路      １４：蓄電体６の蓄電量
【図１】
0003131744.tif 000003
【図２】
0003131744.tif 000004
【図３】
0003131744.tif 000005
【図４】
0003131744.tif 000006
(57)【要約】【課題】  車椅子での介助負担を軽減させることができる、介助者操縦型の二人乗り電動車椅子を提供する。【解決手段】  電動車椅子の後部に、介助者が立った状態で同乗できるステップ及び操縦装置を設け、介助者が操作を行えるようにした。【選択図】図１
0003131746.tif 000002
【実用新案登録請求の範囲】
【請求項１】
電動車椅子の後部に介助者が立った状態で同乗出来るステップと介助者が操作できる操縦装置を設けたことを特徴とする介助者操縦型の二人乗り電動車椅子。
【考案の詳細な説明】
【技術分野】
【０００１】  本考案は、介助者操縦型の二人乗り電動車椅子に関するものである。
【背景技術】
【０００２】  従来の電動車椅子は、障害者や高齢者自身に操縦技術が求められたが、操作技術がない場合、手押し式車椅子で介助者に押してもらう必要があった。
【考案の開示】
【考案が解決しようとする課題】
【０００３】  しかしながら、高齢化社会の進行に伴い、今後、介助者の多くも高年齢化し、車椅子を使用する介護現場が体力的に深刻化していくことが予想される。【０００４】  本考案はこれらの問題点を解決するもので、電動の車椅子に介助者が同乗し、介助者が操縦して障害者を移動させる二人乗り電動車椅子である。
【課題を解決するための手段】
【０００５】  本考案は電動車椅子の後部に、介助者が立った状態で同乗できるステップ及び操縦装置を設け、介助者が電動モータの出力調整と方向操作を行い車椅子の操縦を行う。
【考案の効果】
【０００６】  本考案の介助者操縦型二人乗り電動車椅子は、後部に介助者が同乗し電動車椅子の操作を行うことができるので、自らの力で車椅子を押す必要が無く、介助者の体力的負担を軽減することが出来る。
【実施例】
【０００７】  図１に示すように、電動車椅子の後部に介助者が同乗できるようなステップ７を設け、介助者２が操縦を行う。
【産業上の利用可能性】
【０００８】  上述の考案は、介助者操縦型の二人乗り電動車椅子として利用可能である。
【図面の簡単な説明】
【０００９】
【図１】本考案の介助者操縦型の二人乗り電動車椅子の構成を示す。
【符号の説明】
【００１０】  １・・・障害者
２・・・介助者
３・・・障害者用座席
４・・・駆動車輪
５・・・駆動用モータ
６・・・バッテリー
７・・・介助者用ステップ
８・・・自在車輪
９・・・操縦装置
【図１】
0003131746.tif 000003
(57)【要約】      （修正有）【課題】市販のＰＥＴボトル等にはめ込むことで、これを簡単に懐中電灯に改変することが可能なボトルキャップを提供する。【解決手段】ボトルキャップ本体１内部に小型電池２とＬＥＤ等の電球３を内臓させ、電池と電球を導線４で結ぶ電気回路を構成させ、その中間にオン−オフ・スイッチ機能を組み込み、光源の点滅を任意に行う。【選択図】図１
0003131748.tif 000002
【実用新案登録請求の範囲】
【請求項１】
電球、電池、回路を組み込み、照明機能を持たせたボトルキャップの構造。
【考案の詳細な説明】
【考案の詳細な説明】
【０００１】  本考案は、ＬＥＤ等の電球、ボタン電池等の小型電池及びオン−オフ・スイッチ機能を持った電気回路を内臓したＰＥＴボトル等のボトルキャップの構造に関するものである。
【従来の技術及び考案が解決しようとする課題】
【０００２】従来、ＰＥＴボトル等に豆電球等の光源を入れ、通電させることで照明として機能させることは広く行われて来たところであるが、卓上ランプ等の据え置きタイプが大半を占めており、懐中電灯のような携帯用は存在していない。
【課題を解決するための手段】
【０００３】本考案のボトルキャップは、下記構造のものである（図１参照）。ボトルキャップ本体（１）内部に小型電池（２）とＬＥＤ等の電球（３）を内臓させ、電池と電球を導線（４）で結ぶ電気回路を構成させ、その中間にオン−オフ・スイッチ機能を組み込み、光源の点滅を任意に行うことのできるもの。これをはめることにより、ＰＥＴボトル等が懐中電灯機能を持つに至る。
【考案の効果】
【０００４】  本考案は、市販のＰＥＴボトル等にはめ込むことで、これを簡単に懐中電灯に改変することが可能である。
【実施例】
【０００５】  ボトルキャップ本体（１）内部に小型電池（２）とＬＥＤ等の電球（３）を内臓させ、電池と電球を導線（４）で結ぶ電気回路を構成させ、その中間にオン−オフ・スイッチ機能を組み込み、光源の点滅を任意に行うことのできるもの。導線（４）にはバネ機能を持たせ、ボトルキャップを完全に閉じた状態で、回路が導通状態となり光源が点灯し、ボトルキャップをゆるめることで回路が遮断され、光源が消灯に至る。すなわち、ボトルキャップの開閉がスイッチの役割を果たすこととなる。必要に応じて、絶縁体（５）、シーリング材（６）、レンズ（７）等を内臓することも可能である。
【図面の簡単な説明】
【０００６】（１）ボトルキャップ本体
（２）電池
（３）電球
（４）導線
（５）絶縁体（緩衝材）
（６）シーリング材
（７）レンズ
【図１】
0003131748.tif 000003
【手続補正書】
【提出日】平成19年3月1日(2007.3.1)
【手続補正１】
【補正対象書類名】明細書
【補正対象項目名】０００６
【補正方法】変更
【補正の内容】
【０００６】
【図１】は，内部構造を表す中央縦断面図である。
【符号の説明】
（１）ボトルキャップ本体
（２）電池
（３）電球
（４）導線
（５）絶縁体（緩衝材）
（６）シーリング材
（７）レンズ
(57)【要約】      （修正有）【課題】携帯電話の時計、着信を表示するサブディスプレイの使い勝手がよくする。【解決手段】携帯電話の時間を表示するサブディスプレイは携帯電話のメインディスプレイの側面部（メインディスプレイに対して左右の面）に配置、見やすいためサブディスプレイは上向き傾けて配置する。【選択図】図１
0003131745.tif 000002
【実用新案登録請求の範囲】
【請求項１】
携帯電話の時間、着信を表示するサブディスプレイは携帯電話のメインディスプレイの側面部に配置されることを特徴とする携帯電話。
【請求項２】
請求項１記載のサブディスプレイはメインディスプレイ面に対し、上向き傾けてあることを特徴とする。
【考案の詳細な説明】
【技術分野】
【０００１】
時間、着信を表示する携帯電話のサブディスプレイ技術分野に属する。
【背景技術】
【０００２】
最近携帯電話で時間を確認するため時計の代わりによく使われています。しかし携帯電話がテーブルなどに置いてある場合は時間表示のサブディスプレイで時間の確認がちょっと不便である。手で携帯電話取って見るが、或いは頭は携帯電話の上方に行って見る。
【考案の開示】
【考案が解決しようとする課題】
【０００３】
携帯電話がテーブルなどに置いてある状態で時間、着信を表示するサブディスプレイを使用者側に向かせる。
【課題を解決するための手段】
【０００４】
メインディスプレイ（３）の側面部（４）に配置されたサブディスプレイ（２）はメインディスプレイ面に対し、直角でも良いが、少し上向き、傾けて配置すると見やすくなる。傾げる角度は例えば４５度とすると良い。
【０００５】
携帯電話の時計、着信を表示するサブディスプレイの使い勝手がよくなる。
【考案を実施するための最良の形態】
【０００６】
本考案に関る携帯電話は、サブディスプレイを用いて時間、着信を表示する携帯電話である。
【図面の簡単な説明】
【０００７】
【図１】全面図
【図２】側面図
【符号の説明】
【０００８】
１  携帯電話本体
２  サブディスプレイ
３  メインディスプレイ
４  側面部
【図１】
0003131745.tif 000003
【図２】
0003131745.tif 000004
【手続補正書】
【提出日】平成19年3月2日(2007.3.2)
【手続補正１】
【補正対象書類名】実用新案登録請求の範囲
【補正対象項目名】請求項２
【補正方法】変更
【補正の内容】
【請求項２】
サブディスプレイはメインディスプレイ面に対し、上向き傾けてあることを特徴とする請求項１記載の携帯電話。
(57)【要約】【課題】外出時の薬の服用を簡便にすることと、服用時間の忘れ防止。【解決手段】ファスナーで薬を出し入れ出来て、服用時間が確認できるための透明のビニール製表示窓付きで、中身が見えるように表側をメッシュ製にした薬収納袋を、薬の服用回数分に応じて、袋の裏側に付けたマジックテープにより着脱可能とし、また薬の服用時間を知らせてくれるアラーム機能付きのタイマーを付けた、携帯用の薬収納ポーチを考案することにより課題の解決を図る。【選択図】図１
0003131742.tif 000002
【実用新案登録請求の範囲】
【請求項１】
ファスナーで薬を出し入れ出来て、服用時間が確認できるための透明のビニール製表示窓付きで、中身が見えるように表側をメッシュ製にした薬収納袋を、薬の服用回数分に応じて、袋の裏側に付けたマジックテープにより着脱可能とした、携帯用の薬収納ポーチ。
【請求項２】
薬の服用時間を知らせてくれるアラーム機能付きのタイマーを取り付けた、携帯用の薬収納ポーチ。
【考案の詳細な説明】
【技術分野】
【０００１】本考案は、携帯用の薬収納ポーチに関するものである。
【背景技術】
【０００２】外出時、薬を携帯する時に不便なのは、服用する時間により、種類の違う薬を服用しなければならない場合、いちいち必要な薬をその都度取り出して服用しなければならないと言う手間が掛かっていたこと、また服用回数が多ければ多いい程、服用時を忘れたり、遅れて服用したりすることであった。
【考案の開示】
【考案が解決しようとする課題】
【０００３】外出時に薬を服用しようとする場合、服用時ごとに異なる薬を間違い無く、決められた時間に正確に服用することは、なかなか困難であった。
【課題を解決するための手段】
【０００４】そこで、予め薬の収納袋を必要な回数分収納出来て、服用時間が来たらアラームで知らせてくれるタイマー付きの携帯用薬収納ポーチを考案した。
【考案の効果】
【０００５】これにより、服用時にいちいち複数の薬を取り出す手間も省け、また服用時間を予め設定しておけばアラームが知らせてくれることにより、服用忘れや遅れての服用も防止できる。
【考案を実施するための最良の形態】
【０００６】ファスナーで薬を出し入れ出来て、服用時間が確認できるための透明のビニール製表示窓付きで、中身が見えるように表側をメッシュ製にした薬収納袋を、薬の服用回数分に応じて、袋の裏側に付けたマジックテープにより着脱可能とし、また薬の服用時間を知らせてくれるアラーム機能付きのタイマーを付けた、携帯用の薬収納ポーチ。
【図面の簡単な説明】
【０００７】
【図１】本考案の携帯用薬収納ポーチの内側の形状図である。
【図２】本考案の薬収納袋の表側及び裏側の形状図である。
【図３】本考案の携帯用薬収納ポーチの外側の形状図である。
【符号の説明】
【０００８】１      薬収納袋の表側
２      薬収納袋の裏側
３      マジックテープ
４      ファスナー
５      透明ビニール製服用時間確認のための表示窓
６      メッシュ製の袋部分
７      透明ビニール製タイマー収納用ポケット
８      アラーム機能付きタイマー
９      携帯用薬収納ポーチ
【図１】
0003131742.tif 000003
【図２】
0003131742.tif 000004
【図３】
0003131742.tif 000005
【手続補正書】
【提出日】平成19年2月15日(2007.2.15)
【手続補正１】
【補正対象書類名】実用新案登録請求の範囲
【補正対象項目名】全文
【補正方法】変更
【補正の内容】
【実用新案登録請求の範囲】
【請求項１】
ファスナーで薬を出し入れ出来て、服用時間が確認できるための透明のビニール製表示窓付きで、中身が見えるように表側をメッシュ製にした薬収納袋を、薬の服用回数分に応じて、袋の裏側に付けたマジックテープ（登録商標）により着脱可能とした、携帯用の薬収納ポーチ。
(57)【要約】      （修正有）【課題】少子高齢化と共に住宅の部屋数を増加するパーソナルユースのＴＶ受信装置運用環境の要請に対応できる親子ＴＶ受信装置。【解決手段】親子ＴＶ受信装置親本体１に表示された画像を本体との親子切換ＳＷ４により、２つ以上の親子ＴＶ受信装置子画像表示装置２に切り換えたり、親子ＴＶ受信装置用ビデオ再生装置５によるビデオ画像を、２つ以上の親子ＴＶ受信装置子画像表示３に切り換え運用する図１を具現する親子ＴＶ受信装置。【選択図】図１
0003131750.tif 000002
【実用新案登録請求の範囲】
【請求項１】
ＴＶ受信装置に於て、２つ以上の画像表示装置を備え端子及び接続線により接続され、設けられたＳＷにより１つづつＯＮ、ＯＦＦ運用される親子ＴＶ受信装置。
【請求項２】
ＴＶ受信装置に於て、ビデオ再生装置を備えた親子ＴＶ受信装置。
【請求項３】
ＴＶ受信装置に於て、ＤＶＤ、ＣＤ再生装置を備えた親子ＴＶ受信装置。
【請求項４】
ＴＶ受信装置に於て、２つ以上の画像表示装置を備え端子及び接続線により接続され、設けられたＳＷにより全部が同時にＯＮ、ＯＦＦ運用される親子ＴＶ受信装置。
【考案の詳細な説明】
【技術分野】
【０００１】
本考案は、従来のビデオ再生装置付きＴＶ受信装置運用形態に関する。
【背景技術】
【０００２】
ビデオ再生装置付きＴＶ受信装置は、ビデオメディアの選択により、ＴＶ受信装置のパーソナルユース運用を果してきたものである。
【考案の開示】
【考案が解決しようとする課題】
【０００３】
しかしながら、３世代住宅等部屋数の多い１つのＴＶ受信装置のパーソナルユースには、ホームシアターとしての物と情報の一元化が計れなかった。
【０００４】
本考案は、上記実情に鑑みてなされたものであり、台所に料理情報、茶室に茶道情報、ガレージに交通運転技術情報、祭壇に神、仏事情報、語学勉強情報の適所化、子供部屋での遊戯情報、ダンス、華道、映画情報他の適所化による物と情報の一元化を計るホームシアター創りを目的としている。
【課題を解決するための手段】
【０００５】
上記目的を達成するため考案は、物と情報の一元化を計る画像表示装置の設置の複数化を計ることであり、次の構成を含むことを特徴としている。
２つ以上の画像表示装置により親子ＴＶ受信装置を切換ＳＷを設けてパーソナルユースの向上を計るものである。
【考案の効果】
【０００６】
物と情報の一元化が２つ以上の画像表示装置の親子運用により計られ、パーソナルユースのホームシアター創りにより、印刷メディアの娯楽メディアに対して電子メディアは教育メディア（猪瀬東大教授著コミュニケーション・フローより）の効果が、茶の間のみによらないトレーニングルーム他の運用親子ＴＶ受信装置により向上する。
【考案を実施するための最良の形態】
【０００７】
本考案の実施の形態の一例について、図面を参照しながら説明する。
親子ＴＶ受信装置は、図１に示すように、親子ＴＶ受信装置親本体１、と親子ＴＶ受信装置子画像表示装置２、３と親子ＴＶ受信装置親子切換ＳＷ４、親子ＴＶ受信装置用ビデオ再生装置（ＤＶＤ、ＣＤ含む）５、である。
【図面の簡単な説明】
【０００８】
【図１】本考案の親子ＴＶ受信装置の実施の形態の一例を示す図である。
【符号の説明】
【０００９】
１        親子ＴＶ受信装置親本体
２.３    ２つ以上の親子ＴＶ受信装置子画像表示装置
４        親子ＴＶ受信装置親子切換ＳＷ
５        親子ＴＶ受信装置用ビデオ再生装置（ＤＶＤ、ＣＤ含む）
【図１】
0003131750.tif 000003
【手続補正書】
【提出日】平成19年2月20日(2007.2.20)
【手続補正１】
【補正対象書類名】実用新案登録請求の範囲
【補正対象項目名】全文
【補正方法】変更
【補正の内容】
【実用新案登録請求の範囲】
【請求項１】
TV受信装置に於て、２つ以上の画像表示装置を備え端子及び接続線により接続され、設けられたスイッチにより１つづつON、OFF運用される親子TV受信装置。
【請求項２】
TV受信装置に於て、ビデオ再生装置を備えた事を特徴とする請求項１記載の親子TV受信装置。
【請求項３】
TV受信装置に於て、DVD、CD再生装置を備えた事を特徴とする請求項１記載の親子TV受信装置。
【手続補正２】
【補正対象書類名】明細書
【補正対象項目名】０００５
【補正方法】変更
【補正の内容】
【０００５】
上記目的を達成するため考案は、物と情報の一元化を計る画像表示装置の設置の複数化を計ることであり、次の構成を含むことを特徴としている。
２つ以上の画像表示装置により親子TV受信装置を切換スイッチ（以下ＳＷと略）を設けてパーソナルユースの向上を計るものである。
【手続補正３】
【補正対象書類名】図面
【補正対象項目名】全図
【補正方法】変更
【補正の内容】
【図１】
0003131750.tif 000004
(57)【要約】      （修正有）【課題】野球の投球においてボールにスピン（回転）を与え、スピードの増加、コントロールの養成、暴投の防止を図る。【解決手段】野球の投球において、ボールを筒状１にし、中央部に芯２を入れ、中央部から白黒に塗り分けたストレート（直球）練習ボールである。ストレート（直球）練習ボールで投球の練習をすることにより、スピン（回転）のきいたボールを投げることができ、スピードの増加、制球力の養成、暴投の防止に役立つ。【選択図】図２
0003131735.tif 000002
【実用新案登録請求の範囲】
【請求項１】
野球の投球において、ボールを筒状にし、中心部に芯を入れ、且つ中央から白黒に塗り分け、ボールにスピン（回転）を与えることを習得させる練習ボール。
【考案の詳細な説明】
【技術分野】
【０００１】  本考案は、野球の投球において、スピン（回転）のきいたストレート（直球）を正しく投球する練習ボールである。
【背景技術】
【０００２】  野球の練習や試合において、ボールに十分なスピン（回転）を与えず、投球するため、スピードがなかったり、コントロール（制球力）が養成されなかったり、手離れが早くなり暴投したりする。
【考案の開示】
【考案が解決しようとする課題】
【０００３】  野球の練習や試合において、ボールに十分なスピン（回転）を与えて、スピードの増加、コントロール（制球力）の養成、且つ手離れをおそくし暴投をなくすことである。
【課題を解決するための手段】
【０００４】  ボールを筒状にし、中央部に芯を入れ、スピン（回転）を与えなければ、遠くに届かないようにする。また、中央から白黒に塗り分け、投球した後、時計回りの上下のスピン（回転）が確認をできるようにする。
【考案の効果】
【０００５】  本考案のストレート（直球）練習ボールは、筒状になっているので、スピン（回転）を与えなければ、遠くに届かない。このため手離れをおそくし、スピン（回転）を与えて投球することが自然に習得できる。また、中央から白黒に塗り分けてあるため、投球後、時計回りの上下のスピン（回転）が確認できる。さらに、横振れの確認もできる。横振れは、ボールがシュート回転になるという欠点であり、これも同時に是正することができる。
【考案を実施するための最良の形態】
【０００６】  本考案のストレート（直球）練習ボールは、ボールを筒状にすることである。筒の形態は、円柱、六角柱、八角柱等である。筒の長さ、底面の半径は、小、中、高校生の使用にあわせて大きくしていく。芯の大きさも同様である。素材は、耐久性のプラスチック等で製作する。
【実施例】
【０００７】  本考案のストレート（直球）練習ボールの中央部を、人差し指、中指、親指で握り、時計回りの上下の回転（スピン）を与えて投球する。スピン（回転）を与えるには、３本の指で、転がすように投球する。【０００８】  また、本考案のストレート（直球）練習ボールで、スピン（回転）を与えることが習得できた後は、５本の指で握り、逆にスピン（回転）を少なくし、チェンジアップの投法を練習できる。【０００９】  さらに、本考案のストレート（直球）練習ボールに与えるスピン（回転）の多少、方向等によって、他の球種（シンカー、カーブ、シュート等）も練習できる。
【図面の簡単な説明】
【００１０】
【図１】ストレート（直球）練習ボールの見取り図である。
【図２】ストレート（直球）練習ボールの断面図である。
【図３】ストレート（直球）練習ボールの実施例である。
【符号の説明】
【００１１】      １  筒
２  芯
３  スピン（回転）の方向
４  白色に塗った部分
５  黒色に塗った部分
【図１】
0003131735.tif 000003
【図２】
0003131735.tif 000004
【図３】
0003131735.tif 000005
(57)【要約】      （修正有）【課題】処方箋などの薬を服用するとき時間帯や種類が複数ある時、どれを服用するかを簡単に選別しやすくする。【解決手段】処方箋の薬を数種類一括して薬の整理箱１に入れておき、服用する時間帯ごとのサンプル入れ２にその時服用する現物の薬剤など１回分を見本として入れておき、服用時にそのサンプルを見ながら一括して入れた薬剤から選別し服用する。【選択図】図２
0003131740.tif 000002
【実用新案登録請求の範囲】
【請求項１】
薬の収納箱に服用するサンプルの収納個室があり時間帯ごとに収納できそのサンプルを見ながら薬の種類を選別できることを特徴とする収納箱。
【考案の詳細な説明】
【技術分野】
【０００１】薬の収納箱にサンプル用の薬剤などを入れる所を取り付けた。
【背景技術】
【０００２】従来の薬箱では、複数の薬の中から、どの種類の薬を服用するかわからない。
【考案の開示】
【考案が解決しようとする課題】
【０００３】数種類の薬剤が入っているので服用時にどれを服用するか簡単に選別しやすくした。
【課題を解決するための手段】
【０００４】そこで、処方箋などで決められている時間や薬剤の種類を、サンプル用の収納室に見本として入れておき、服用時間にサンプル室の薬剤と照らし合わせて簡単に選別する事がる。
【考案の効果】
【０００５】服用時にサンプルと照らし合わせ数種類の薬の中から服用時間帯ごとに、サンプルに合わせて簡単に、選別できること。
【考案を実施するための最良の形態】
【０００６】  本考案に係わるサンプルの薬剤を入れる場所は、服用時間帯別に区切りをもうけ、数種類の薬剤を入れることができ、サンプルが見やすく透明な構造として通常の取り扱いでは、サンプルなどの薬剤が収納している所から容易に出ない様な構造とする。
【図面の簡単な説明】
【０００７】
【図１】本考案に係わる斜視図である。
【図２】従来技術を示すＡ−Ａの断面図
【符号の説明】
【０００８】１      薬箱本体
２      サンプルを収納する所
３      蝶番
４      取手
【図１】
0003131740.tif 000003
【図２】
0003131740.tif 000004
(57)【要約】      （修正有）【課題】粘着テープを切断する時テープの端の部分を折り曲げて，接着出来ない部分が出来るようにしてテープを切断する。【解決手段】テープを切断する歯は可動できる構造とし、その歯はスプリング等により常時定位置に置く。据え置きタイプの場合はスプリング等によらず重力で定位置に戻すこともも可能である。テープを切断する時は指等で歯を移動することによりテープにゆるみが出来、そこを押さえることによりテープの粘着面同士を張り合わせて接着出来ない部分を作る。その接着出来ない部分を持って必要なテープ長を取ると歯はフリーになって定位置に戻り、その状態でテープを切断する。【選択図】図１
0003131731.tif 000002
【実用新案登録請求の範囲】
【請求項１】
粘着テープを切断する場合そのテープの端を折り返して切断することのできるテープカッター。
【考案の詳細な説明】
【考案の詳細な説明】
【考案が解決しようとする課題】
【０００１】  粘着テープを用いて例えば梱包や封書等のシールを行た後でその梱包の開梱または開封する場合、そのテープを取り去る必要がある。この場合のテープはしっかりと梱包又は封書等に張り付いており取り去るのに苦労するという問題点を有していた。
【課題を解決するための手段】
【０００２】  上記問題点を解決するために、シールのために粘着テープをテープカッターで切断する場合、カッターの歯は可動する構造にして、その可動する歯はスプリングやバネ等で定位置に設定しておき、テープを切断する場合指等で歯を移動してテープのゆるみを作り、そのゆるみの部分を折り曲げて切断することにより接着できない部分を設けて取り易くした。
【考案の効果】
【０００３】  シールされた粘着テープは端の部分に接着されていない部分が出きるために取り去り易くできる。
【図面の簡単な説明】
【０００４】
【図１】  粘着テープカッターのテープ切断前の断面図である。
【図２】  テープ切断前で歯を移動させ，粘着テープ端にたるみをつけた図である。
【図３】  テープを切断するときの図である。
【図１】
0003131731.tif 000003
【図２】
0003131731.tif 000004
【図３】
0003131731.tif 000005
【手続補正書】
【提出日】平成19年2月6日(2007.2.6)
【手続補正１】
【補正対象書類名】実用新案登録請求の範囲
【補正対象項目名】全文
【補正方法】変更
【補正の内容】
【実用新案登録請求の範囲】
【請求項１】
粘着テープカッターにおいて、そのテープ切断のための歯が数十ｍｍ移動し、歯がフリーの時はスプリング等で定位置にくる構造のカッターで、テープ切断時は指等で歯を持ち上げてテープにゆるみをつくり、そのゆるみ部分の接着面どうしを貼り合わせて接着出来ない部分を作ってテープを切断する事のできる粘着テープカッター。